(57)【要約】【課題】サーバーから送信されてくる情報を情報端末の表示部の所定の位置に表示することで、利用者は情報端末の画面を見るだけでサーバーから送信されてきた情報を確認することができる。【解決手段】１は情報端末、２は情報提供会社に設置されているサーバー、３は利用者や、情報提供元からの情報とサーバーを管理する情報提供会社であり、４は公衆回線、ＬＡＮ、ＡＤＳＬ等であり、サーバーと情報端末、サーバーと情報提供元を接続する通信回線である。５は利用者に情報端末のサービスコンテンツを提供する情報提供元である。６は前記情報所持部からの情報を受信する受信部である。７は情報端末の表示部である。８は情報端末が持つ機能や利用者が受けることができるサービスのコンテンツ内容を示すアイコンである。９は情報端末を操作するための入力手段である。【選択図】　図１
2004134954.tif 000002
【特許請求の範囲】
【請求項１】
サーバーと、情報端末と、ネットワーク網を備える情報ネットワークシステムにおいて、前記サーバーは、前記サーバーに情報を提供する情報提供元からの情報または前記情報端末からの情報を記憶する情報記憶手段と、前記情報を発信する情報発信手段を備え、前記情報端末は、前記サーバーから提供される情報を表示する表示部と前記サーバーからの情報を受信する情報受信手段を備え、サーバーに保持されている情報の内容が更新されると、前記情報端末の表示部の一部、または表示部の全体にサーバーの内容が更新されたことを報知することを特徴とする情報ネットワークシステム。
【請求項２】
サーバーと情報端末とネットワーク網を備える情報ネットワークシステムにおいて、前記サーバーは前記サーバーに情報を提供する情報提供元からの情報または前記情報端末からの情報を保持する情報保持手段と、前記情報を発信する情報発信手段を備え、前記情報端末は、前記サーバーから提供される情報を表示する表示部と前記サーバーからの情報を受信する情報受信手段を備え、サーバーに保持されている情報の内容が更新されると、前記情報端末の表示部の一部、または表示部の全体に、更新された前記情報の内容の一部、もしくは全文を表示することを特徴とする情報ネットワークシステム。
【請求項３】
情報端末は、利用者が情報端末へ入力するための入力手段を備え、前記情報端末からの情報は、前記情報提供システムを利用している利用者が前記入力手段を用いてサーバーに入力した情報である、請求項１または２記載の情報ネットワークシステム。
【請求項４】
情報端末は、利用者が個別に情報を入力する情報入力手段と、前記情報を記憶する情報記憶手段を備え、情報記憶手段に登録された情報に基づき、所定の日時になると、前記情報端末の表示部の一部、または表示部の全体に、登録された情報の一部、もしくは全文を表示することを特徴とする、請求項１から３いずれか１項に記載の情報端末。
【請求項５】
サーバーは、利用者が前記情報端末から個別に登録できる情報を記憶する情報記憶手段を備え、情報記憶手段に登録された情報に基づき、所定の日時になると、前記サーバーから前記ネットワーク網を介して、記憶されている情報をダウンロードし、前記情報端末の表示部の一部、または表示部の全体に、登録された情報の一部、もしくは全文を表示することを特徴とする、請求項１から４いずれか１項に記載の情報ネットワークシステム。
【請求項６】
サーバーは、利用者が前記情報端末から個別に登録できる情報を記憶する情報記憶手段を備え、情報記憶手段に登録された情報に基づき、所定の日時になると、前記サーバーから前記ネットワーク網を介して、サーバーに記憶されている情報が置かれているサーバーまたはサーバーの格納場所のアドレスをダウンロードし、前記情報端末の表示部の一部、または表示部の全体に、前記アドレス、もしくはリンクバナーを表示することを特徴とする、請求項１から５いずれか１項に記載の情報ネットワークシステム。
【請求項７】
サーバーは、利用者が属しているマンション、または地域によって、個別に情報を持つことが可能な構成であり、情報提供元から提供された情報に基づき、所定の日時になると、上記マンション、もしくは地域に属している利用者の前記情報端末の表示部の一部、または表示部の全体に、前記情報提供元から提供された情報の一部、もしくは全文を表示することを特徴とする、請求項１から６いずれか１項に記載の情報ネットワークシステム。
【請求項８】
サーバーは、利用者が属しているマンション、または地域によって、個別に情報を持つことが可能な構成であり、情報提供元によって提供された情報に基づき、所定の日時になると、前記情報端末は前記サーバーから前記ネットワーク網を介して、サーバーに記憶されている前記情報提供元によって提供された情報がおかれているサーバーまたはサーバーの格納場所のアドレスをダウンロードし、マンション、または地域に属している利用者の前記情報端末の表示部の一部、または表示部の全体に、前記アドレスまたはリンクバナーを表示することを特徴とする、請求項１から７いずれか１項に記載の情報ネットワークシステム。
【請求項９】
サーバーは、前記ネットワーク網を介して情報提供元から配信される広告データを、前記情報端末へ配信する手段を備え、前記情報端末は、表示部に前記広告データを表示する機能を備えるものであり、サーバーもしくは前記情報端末に記憶された個人、もしくは地域情報に基づき、所定の日時になると、前記広告データの表示を中断し、広告データを表示していた位置に、記憶された情報の一部、または全文を前記情報端末に表示することを特徴とする、請求項１から８いずれか１項に記載の情報ネットワークシステム。
【請求項１０】
サーバーは、前記ネットワーク網を介して情報提供元から配信される広告データを、前記情報端末へ配信する手段を備え、前記情報端末は、表示部に前記広告データを表示する機能を備えるものであり、サーバーもしくは前記情報端末に記憶された個人、もしくは地域情報に基づき、所定の日時になると、所定の時間で切り換えて広告情報と、個人、もしくは地域情報を交互に前記情報端末の表示部に表示することを特徴とする、請求項１から９いずれか１項に記載の情報ネットワークシステム。
【請求項１１】
情報端末は、給湯器の制御を行う給湯器制御手段を備えることを特徴とする請求項１から１０いずれか１項に記載の情報端末。。。。
【請求項１２】
情報端末は、ガスメーターから無線により発信される情報を受信するリモコン部を備え、ガスメーターから発信された情報は、前記ネットワーク網を介して前記サーバーに情報を送信し、サーバーで情報を管理する機能を備えることを特徴とする、請求項１から１１いずれか１項に記載の情報ネットワークシステム。
【発明の詳細な説明】
【０００１】
【発明の属する技術分野】
本発明は、サーバーと情報端末を相互に接続する情報ネットワークシステム、またはサーバーからの情報を受信して、表示を行う情報端末または情報端末の表示手段に関するものである。
【０００２】
【従来の技術】
近年、携帯電話に代表される情報端末の高性能化や、インターネットの急速な普及とそれに伴う情報通信インフラの整備が急速に進み、個人対企業の情報通信が急速に拡大している。特に、企業から個人への情報提供手段は、電子メールによるものや、情報端末の画面の一部に一般的にバナー広告と呼ばれている広告を表示する方法など、さまざまな情報提供手段が実用化されている。
【０００３】
また、マンションなどでは、マンション内の回覧板や掲示板、駅の時刻表といったマンションまたは地域独自の情報を、情報提供会社からマンション情報端末に提供するサービスも実用化されている。この場合、情報提供会社自体が独自の情報を提供する形態と、情報提供会社は情報の管理や、利用者に提供するサービスにあったコンテンツを外部から集め、利用者に提供する形態とがある。
【０００４】
また、実際に企業と個人との情報をやり取りするうえで用いる情報端末には、携帯電話、パーソナルコンピュータ、ＰＤＡなどが代表的なものであり、さらに固定電話やファックスから電子メールやインターネットを行うものや、前記マンション情報端末、または電化製品の制御機能を備える家庭内情報端末といったものまで、様々な形態の情報端末が実用化されている。
【０００５】
前記情報端末は、新着メールを受信したり、提供している情報内容が更新または変更された場合には、情報端末に設けられたＬＥＤを点灯させて知らせる方法や、音声や着信音で報知する方法などがあり、情報端末利用者に情報の閲覧を促す機能が備えられているものが多い。
【０００６】
【発明が解決しようとする課題】
しかしながら、上述したように従来の技術によると、各種情報端末に提供される情報が更新されたり、電子メールが届いたり、情報提供会社から提供される情報が更新されたとき、ＬＥＤの点灯や、着信音の報知のみでは、情報端末の利用者にとっては、分かりにくいという課題があった。
【０００７】
また、新着情報として報知しても、利用者が新着情報に気づき、新着情報ボタンやアイコンを選択し、閲覧情報を選択し、情報が表示されるといった段階をふまなければならず、積極的に情報の閲覧を促すという機能としては不十分であった。
【０００８】
【課題を解決するための手段】
上記課題を解決するため本発明は、サーバーと情報端末を相互に接続するネットワーク網を備える情報ネットワークシステムにおいて、サーバーに保持されている情報提供元からの情報が更新されたり、情報提供会社からの連絡事項を利用者に報知する場合、情報端末の表示部の一部、または表示部の全体に、更新された情報や情報提供会社からの連絡事項の内容の一部または全文を表示することにより、利用者は情報端末の表示部を見るだけで、サーバーから送信されてきた情報の内容を知ることができる。
【０００９】
また、サーバーと情報端末を相互に接続するネットワーク網を備える情報ネットワークシステムにおいて、サーバーに保持されている情報提供元からの情報が更新されたり、情報提供会社からの連絡事項を利用者に報知する場合、情報の内容が多い場合や、表示部に表示された情報の詳細を閲覧する場合は、サーバーに記憶されている情報が置かれているサーバーまたはサーバーの格納場所のアドレスのみをダウンロードし、前記アドレスまたは前記アドレスへのリンクバナーを情報端末の表示部に表示させることで、容易に前記サーバーから送信されてきた情報の内容を閲覧することが出来る。
【００１０】
【発明の実施の形態】
請求項１に記載の発明は、サーバーと情報端末とネットワーク網を備える情報ネットワークシステムにおいて、前記サーバーは前記サーバーに情報を提供する情報提供元からの情報または前記情報端末からの情報を記憶する情報記憶手段と、前記情報を発信する情報発信手段を備え、前記情報端末は、前記サーバーから提供される情報を表示する表示部と前記サーバーからの情報を受信する情報受信手段を備え、サーバーに保持されている情報の内容が更新されると、前記情報端末の表示部の一部、または表示部の全体にサーバーの内容が更新されたことを報知することを特徴とするものである。
【００１１】
上記請求項１の発明の、構成、動作によると、サーバーに記憶され情報提供会社により管理されている情報の内容が更新されたり、情報提供会社から新しい情報を利用者に提供するとき、その内容が情報端末の表示部に直接表示されるので、利用者は情報端末の表示部を見るだけで、情報提供会社から新しい情報が提供されていることが確認できる。
【００１２】
請求項２に記載の発明は、サーバーと情報端末とネットワーク網を備える情報ネットワークシステムにおいて、前記サーバーは前記サーバーに情報を提供する情報提供元からの情報または前記情報端末からの情報を保持する情報保持手段と、前記情報を発信する情報発信手段を備え、前記情報端末は、前記サーバーから提供される情報を表示する表示部と前記サーバーからの情報を受信する情報受信手段を備え、サーバーに保持されている情報の内容が更新されると、前記情報端末の表示部の一部、または表示部の全体に、更新された前記情報の内容の一部、もしくは全文を表示することを特徴とするものである。
【００１３】
上記請求項２の発明の、構成、動作によると、サーバーに記憶され情報提供会社により管理されている情報の内容が更新されたり、情報提供会社から新しい情報を利用者に提供するとき、その内容が情報端末の表示部に直接表示されるので、利用者は情報端末の表示部を見るだけで、情報提供会社からの情報を確認することができる。
【００１４】
請求項３に記載の発明は、利用者が情報端末へ入力するための入力手段を備え、前記情報端末からの情報は、前記情報提供システムを利用している利用者が前記入力手段を用いてサーバーに入力した情報であることを特徴とするものである。
【００１５】
上記請求項３の発明、構成、動作によると、情報端末はサーバーと公衆回線やＬＡＮなどで相互に送受信が可能であり、また情報端末には利用者が入力可能な入力手段が備えられているので、前記情報提供システムを利用している利用者が自由にサーバーに情報を置くことができる。
【００１６】
請求項４に記載の発明は、情報端末は、利用者が個別に情報を入力する情報入力手段と、前記情報を記憶する情報記憶手段を備え、情報記憶手段に登録された情報に基づき、所定の日時になると、前記情報端末の表示部の一部、または表示部の全体に、登録された情報の一部、もしくは全文を表示することを特徴とするものである。
【００１７】
上記請求項４の発明の、構成、動作によると、情報端末は利用者が個別に個人スケジュール等の情報を入力できる入力手段と、前記情報を記憶できる情報記憶手段を備えているので、前記入力手段でスケジュールの入力を行う際に、報知する日時を設定することで、利用者は利用者によって任意に決定できる所定の日時になると個人スケジュールを確認することができる。
【００１８】
請求項５に記載の発明は、サーバーは、利用者が前記情報端末から個別に登録できる情報を記憶する情報記憶手段を備え、情報記憶手段に登録された情報に基づき、所定の日時になると、前記サーバーから前記ネットワーク網を介して、記憶されている情報をダウンロードし、前記情報端末の表示部の一部、または表示部の全体に、登録された情報の一部、もしくは全文を表示することを特徴とするものである。
【００１９】
上記請求項５の発明、構成、動作によると、情報端末は利用者が個別に個人スケジュール等の情報を入力できる入力手段を備え、前記入力手段でスケジュールの入力を行う際に、報知する日時を設定することで、利用者は利用者によって任意に決定できる所定の日時になると個人スケジュールを確認することができる。
【００２０】
また、サーバーからダウンロードされた情報は、情報端末の表示部に直接表示されるので、利用者は情報端末の表示部を見るだけで、情報提供会社からの情報を確認することができる。
【００２１】
また、前記ネットワーク網を介して前記情報を前記情報記憶手段を備えるサーバーに保持されるので、前記情報の保持、管理はサーバーで行うため、情報の記憶は情報端末では行う必要がない。
【００２２】
請求項６に記載の発明は、サーバーは、利用者が前記情報端末から個別に登録できる情報を記憶する情報記憶手段を備え、情報記憶手段に登録された情報に基づき、所定の日時になると、前記サーバーから前記ネットワーク網を介して、サーバーに記憶されている情報が置かれているサーバーまたはサーバーの格納場所のアドレスをダウンロードし、前記情報端末の表示部の一部、または表示部の全体に、前記アドレス、もしくはリンクバナーを表示することを特徴とするものである。
【００２３】
上記請求項６の発明、構成、動作によると、情報端末は利用者が個別に個人スケジュール等の情報を入力できる入力手段を備え、前記ネットワーク網を介して前記情報を前記情報記憶手段を備えるサーバーに保持されるので、前記入力手段でスケジュールの入力を行う際に、報知する日時を設定するだけで、利用者は利用者によって任意に決定できる所定の日時になると個人スケジュールを確認することができる。
【００２４】
また、サーバーからダウンロードされた情報は、情報端末の表示部に直接表示されるので、利用者は情報端末の表示部を見るだけで、情報提供会社で保持されている前記情報が送信されてきたことを確認することができる。
【００２５】
また、前記情報は、ネットワーク網を介して、サーバーで保持、保管され、前記所定の日時になるとサーバーからネットワーク網を介して、サーバーに記憶されている情報が置かれているサーバーまたはサーバーの格納場所のアドレスのみをダウンロードするので、情報端末で前記情報を記憶させる必要がなく、メモリの容量を軽減することができる。
【００２６】
請求項７に記載の発明は、サーバーは、利用者が属しているマンション、または地域によって、個別に情報を持つことが可能な構成であり、情報提供元から提供された情報に基づき、所定の日時になると、上記マンション、もしくは地域に属している利用者の前記情報端末の表示部の一部、または表示部の全体に、前記情報提供元から提供された情報の一部、もしくは全文を表示することを特徴とするものである。
【００２７】
上記請求項７に記載の発明、構成、動作によると、サーバーは利用者が属しているマンション、または地域によって、個別に情報を持つことが可能な構成であるので、マンション単位や地域単位で、同じ情報を提供することができる。
また、情報提供会社から提供された情報を、利用者に報知する日時を設定しておくことで、利用者は所定の日時になると、情報提供会社から提供される情報を確認することができる。
【００２８】
また、サーバーからダウンロードされた情報は、情報端末の表示部に直接表示されるので、利用者は情報端末の表示部を見るだけで、情報提供会社で保持されている前記情報が送信されてきたことを確認することができる。
【００２９】
請求項８に記載の発明は、サーバーは、利用者が属しているマンション、または地域によって、個別に情報を持つことが可能な構成であり、情報提供元によって提供された情報に基づき、所定の日時になると、前記情報端末は前記サーバーから前記ネットワーク網を介して、サーバーに記憶されている前記情報提供元によって提供された情報がおかれているサーバーまたはサーバーの格納場所のアドレスをダウンロードし、マンション、または地域に属している利用者の前記情報端末の表示部の一部、または表示部の全体に、前記アドレスまたはリンクバナーを表示することを特徴とするものである。
【００３０】
上記請求項８の発明、構成、動作によると、サーバーからダウンロードされた情報は、情報端末の表示部に直接表示されるので、利用者は情報端末の表示部を見るだけで、情報提供会社で保持されている前記情報が送信されてきたことを確認することができる。
【００３１】
また、前記情報は、ネットワーク網を介して、サーバーで保持、保管され、前記所定の日時になるとサーバーからネットワーク網を介して、サーバーに記憶されている情報が置かれているサーバーまたはサーバーの格納場所のアドレスのみをダウンロードするので、情報端末で前記情報を記憶させる必要がなく、メモリの容量を軽減することができる。
【００３２】
請求項９に記載の発明は、サーバーは、前記ネットワーク網を介して情報提供元から配信される広告データを、前記情報端末へ配信する手段を備え、前記情報端末は、表示部に前記広告データを表示する機能を備えるものであり、サーバーもしくは前記情報端末に記憶された個人、もしくは地域情報に基づき、所定の日時になると、前記広告データの表示を中断し、広告データを表示していた位置に、記憶された情報の一部、または全文を前記情報端末に表示することを特徴とするものである。
【００３３】
上記請求項９の発明、構成、動作によると、情報端末は情報提供元から配信される広告データを表示部に表示する機能を備え、サーバーから新しい情報が送信されると、広告データを表示していた位置に、前記情報を表示させることで、情報端末の表示部に直接表示されるので、利用者は情報端末の表示部を見るだけで、情報提供会社で保持されている前記情報が送信されてきたことを確認することができる。
【００３４】
請求項１０に記載の発明は、前記サーバーは、前記ネットワーク網を介して情報提供元から配信される広告データを、前記情報端末へ配信する手段を備え、前記情報端末は、表示部に前記広告データを表示する機能を備えるものであり、サーバーもしくは前記情報端末に記憶された個人、もしくは地域情報に基づき、所定の日時になると、所定の時間で切り換えて広告情報と、個人、もしくは地域情報を交互に前記情報端末の表示部に表示することを特徴とするものである。
【００３５】
上記請求項１０の発明、構成、動作によると、広告データとサーバーから送信されてきた新しい情報とが、所定の時間で切り換えて表示部に表示されるので、利用者の生活スタイルに合わせて、情報端末に表示する内容を変えることで、利用者の生活にあわせた情報を提供することができる。
【００３６】
請求項１１に記載の発明は、情報端末は、給湯器の制御を行う給湯器制御手段を備えることを特徴とするものである。
【００３７】
上記請求項１１の発明、構成、動作によると、情報端末には給湯器の制御を行う機能が備えられており、給湯器の温度調整や湯量調整などを行うことが出来る。
【００３８】
請求項１２に記載の発明は、情報端末は、ガスメーターから無線により発信される情報を受信するリモコン部を備え、ガスメーターから発信された情報は、前記ネットワーク網を介して前記サーバーに情報を送信し、サーバーで情報を管理する機能を備えるものである。
【００３９】
上記請求項１２の発明、構成、動作によると、情報端末はガスメーターから無線により発信される、ガス使用量などの情報を受信し、受信した前記情報をネットワーク網を介してサーバーに送信するので、情報提供会社またはガス会社でガスの使用量の情報などを収集・管理することができる。
【００４０】
【実施例】
本発明の実施例について説明する。
【００４１】
（実施例１）
まず、実施例１の構成について、図１から図３を用いて説明する。
【００４２】
図１は情報提供サービスシステムの一例である。１は情報端末であり、サーバーとの情報の送受信を行う。２はサーバーであり、情報提供元や利用者からの情報を保持・記憶を行う。３は情報提供会社であり、サーバーの管理を行う。４はネットワーク網であり、サーバーと情報端末とを相互に接続可能とするものである。サーバーと情報端末の間はネットワーク網を介してデータの送受信が行われる。５は情報提供元であり、利用者に提供する情報データを作成している。ここで、情報提供会社自体が利用者に提供する情報データを作成している場合もある。情報提供元で作成された情報データは情報提供会社のサーバーに保持される。
【００４３】
情報提供元とは、例えばマンションの情報を管理するマンション管理会社や、ガス・水道・電気といったものを管理する管理会社や、プロバイダなどがある。１９は情報提供元が管理しているサーバーである。
【００４４】
次に図２について説明する。
【００４５】
図２は情報端末の概観の一例である。１は情報端末である。６は情報端末の表示部であり、サーバーからの情報を表示するためのものである。７は情報端末が受信した情報を表示する表示場所の例である。８は情報端末が持つ機能や利用者が受けることができるサービスのコンテンツ内容を示すアイコンである。
【００４６】
情報端末が持つ機能や利用者が受けることができるサービスは、例えば、メッセージの録音機能や、情報提供元または情報提供会社からの情報閲覧などがあり、各々のアイコンを選択することで、前記機能やサービスを受けることができる。９は情報端末を操作するための入力手段である。情報端末を操作するためのものであり、ボタンの代わりにタッチパネル等でも、同じ機能を果たすことができる。
【００４７】
次に図３について説明する。
【００４８】
図３は情報端末１のハードウェア構成の一例を示したものである。１は情報端末である。６は表示部である。９は入力手段である。１０は通信制御部であり、情報端末がネットワーク網を介して情報提供会社のサーバーや広域ネットワークであるインターネットに接続するための制御を行う通信インターフェースである。
【００４９】
通信制御部は情報端末と情報提供会社がＬＡＮで接続される場合は、ＬＡＮインターフェースなどから構成され、電話回線で接続される場合は、モデムなどから構成される。１１は記憶手段であり、アプリケーションの動作や利用者の個人情報の記憶を行う。１２はＣＰＵであり、情報端末の制御を行う。
【００５０】
以上のように構成された情報ネットワークシステムの実施例について具体的な例を用いて説明する。
【００５１】
情報提供会社ではサーバーを管理しており、サーバーには情報端末へのサービスコンテンツを提供する情報提供元からの情報や、情報端末を利用している利用者からの情報が保持されている。
【００５２】
情報提供元には、マンションの管理を行うマンション管理会社、ガス、水道、電気などの管理を行う管理会社、プロバイダなどがある。
【００５３】
本実施例ではマンション管理会社から、マンション各部屋の情報端末に向けて情報を提供する場合について説明する。
【００５４】
まず図２において、情報提供会社のサーバー３は情報提供元であるマンション管理会社のサーバーとはＬＡＮや高速ネットワーク回線などで接続されている。マンション管理会社は、情報提供会社へマンション各部屋の情報端末へ発信したい情報データを提供する。例えば、“５／３０燃えるゴミの日”という情報データを情報提供会社へ提供する。提供されたデータは情報提供会社のサーバーに保持される。このとき、５月２９日２０時から５月３０日８時まで表示するというデータを入れることで、“５／３０燃えるゴミの日”という情報が、情報端末に表示される時間を指定することができる。
【００５５】
情報端末では、サーバーから“５／３０燃えるゴミの日”という新しい情報（新着情報）が提供されると、図３において、情報端末の表示部６全体、またはサーバーからの情報を表示する表示部内の所定の場所７に、“５／３０燃えるゴミの日”と表示を行う。
【００５６】
このように、情報提供会社からの情報を、情報端末の所定の位置に直接表示させることで、利用者は情報端末を操作することなく、情報端末を見るだけで、情報提供会社からの情報を閲覧することができる。
【００５７】
また、従来では忘れがちであったごみの日などの地域情報を、情報端末１の表示部６のトップ画面に表示させることで、利用者にとっては非常に目につきやすく、情報提供会社からの情報を有効に利用者に使用してもらうことができる。
【００５８】
このとき、従来の技術で述べたような、新着情報を受信したとき、ＬＥＤを点灯させたり、着信音を鳴らしたりする機能を加えることで、利用者の情報の閲覧を更に積極的に働きかけることができる。
【００５９】
また、情報提供会社または利用者個人で、情報端末の所定の位置に直接表示させる情報と、従来のようにＬＥＤや着信音のみでサーバーから情報が送信されてきたことを報知し、利用者が情報端末を操作して内容を閲覧する情報を分けることで、利用者にとっての利便性を向上させることができる。
【００６０】
（実施例２）
次に実施例２について、図１から図４を用いて説明する。
【００６１】
第２の実施例は、第１の実施例と加えて、サーバーからの情報を表示する所定の場所７に、情報端末に配信する情報が置かれているサーバーまたはサーバーの格納場所のアドレス、または前記アドレスの場所へのリンクが貼られているリンクバナーを表示するものであり、その他の構成、動作、効果は実施例１と同じである。
【００６２】
リンクバナーとは、リンクを定義付けられた画像ファイル等を意味し、より詳細な情報を格納している場所やページへジャンプすることができる。
実施例２について、具体的な例を用いて説明する。
【００６３】
実施例１と同様に、まず図２において、情報提供会社のサーバー３は情報提供元であるマンション管理会社のサーバーとはＬＡＮや高速ネットワーク回線などで接続されている。マンション管理会社は、情報提供会社へマンション各部屋の情報端末へ発信したい情報データを提供する。例えば、“５／３０燃えるゴミの日”という情報データを情報提供会社へ提供する。
【００６４】
このときのサーバーの構成について図４を用いて説明する。
【００６５】
図４において、２はサーバーである。サーバー２では、マンション管理会社からの提供される情報、ガス会社から提供される情報、利用者からの情報をそれぞれ別々に格納し、各々、格納場所を表すアドレスを所有している。ここでは、マンション管理会社から“５月３０日燃えるごみの日”という情報データが提供され、サーバー内のマンション管理会社からの情報を保持する領域に格納する。このとき“５月３０日燃えるごみの日”という情報にも固有のアドレスが割り当てられることもある。
【００６６】
サーバー２に保持された“５月３０日燃えるごみの日”という情報データは、所定の時間になると公衆回線やＬＡＮ回線などのネットワーク網を介して情報端末へ送信される。
【００６７】
情報端末では、サーバーから“５／３０燃えるゴミの日”という新しい情報（新着情報）が提供されると、図３において、情報端末の表示部６全体、もしくはサーバーからの情報を表示する表示部内の所定の場所７に、“５／３０燃えるゴミの日”と報知を行う。
【００６８】
また、表示部内の所定の場所７は、リンクバナーとなっており、利用者が“５／３０燃えるゴミの日”を選択すると、１ヶ月のゴミ収集日を閲覧することができる情報が格納されているアドレスへリンクが貼られており、より詳細な情報を閲覧できるサービスを提供することも可能である。
【００６９】
このとき、情報端末とサーバーがＬＡＮやＡＤＳＬといった常時接続が可能な高速通信回線で接続されている場合、情報端末では、データが置かれている格納アドレスまたはＵＲＬのみをダウンロードすればよいので、データ自体はサーバーの内容を閲覧する形態となるので、常時接続が可能な環境では特に有効な手段であり、情報端末の記憶手段１１の負担を軽減することもできる。
【００７０】
（実施例３）
次に実施例３について、図１から図６を用いて説明する。
【００７１】
実施例３は、第１、第２の実施例に加えて、利用者が情報端末から入力した個人情報をサーバーに送信し、送信した個人情報をサーバーに保持し、所定の時刻になると、保持した情報の内容を情報端末に報知を行うものであり、その他の構成、動作、効果は実施例１または実施例２と同じである。
【００７２】
図３に示すように、情報端末１は利用者が個別に入力する情報入力手段を備える。
【００７３】
ことのき、情報入力手段は、情報端末上に設けられたボタンや、情報端末画面に直接触れることで入力が可能であるタッチパネルがある。また、情報端末に外部入力インターフェースを設ければ、キーボードなどの外部入力装置を接続することができる。
【００７４】
このように、情報端末とサーバーがネットワーク網で接続された環境では、情報端末に情報入力手段を設けることで、利用者が情報端末で入力した個人データをサーバーに送信し、サーバーでは前記個人データを保持することができる。また、サーバーが、保持しているデータを所定の時間になると利用者に送信することで、スケジュール管理などのサービスを提供することができる。
【００７５】
また、サーバーにデータを保持することで、情報端末のメモリ容量を軽減することが可能である。
【００７６】
本実施例では、利用者が個人情報として、マンション内のフィットネスルームや会議室などの共同施設の予約等を行い、所定の日時になると情報端末で、“５／３０会議室予約”などと表示する場合について述べる。
【００７７】
図２は情報端末の概観の一例である。
【００７８】
この情報端末１は、例えば、家庭の台所やリビング近傍などに設置されるものであり、情報端末６は表示部６を備え、情報提供会社からの情報を閲覧する機能などを備える。
【００７９】
また、表示部６には、情報端末が持つ機能や利用者が受けることができるサービスのコンテンツ内容を示すアイコン８が表示されており、アイコンを選択することで、情報端末が持つ機能を使ったり、情報提供会社から提供されているサービスを受けることが可能である。
【００８０】
利用者が、マンション内の共同施設予約を行う場合、情報端末の表示部から、“施設予約”を行うことができるアイコンを選択すると、施設予約を行う画面が表示される。
【００８１】
図５は施設予約を行う画面の一例である。表示部には、利用する施設や、利用する月、日、時間などが表示されており、それぞれアイコン化されており、アイコンを選択することで、各種設定を行うことができる。
【００８２】
例えば、利用する月を設定する場合は、入力手段９であるボタンを使って月を設定するアイコンを選択すると、月を選択する画面が表示される。
【００８３】
図６は月を選択する画面の一例である。
【００８４】
最後に予約アイコンを選択するといった所定の作業を行うと、設定した情報が情報提供会社のサーバーに送信され、送信されたデータは、サーバー内の共同施設予約データと照合され、その結果を情報端末に報知すると共に、サーバーの個人情報およびマンション情報にデータを登録する。
【００８５】
このとき、入力手段９は、タッチパネルや、情報端末１に外部入力インターフェースを備えている場合はマウスやキーボードであってもその効果は変らない。また、予約した日時の所定の日、または所定の時間前になると、情報端末に報知を行う。
【００８６】
報知の手段は、第１または第２の実施例と同様に、サーバーから“施設予約受け付けました”　“５／３０会議室予約”などの情報が情報端末に送信され、図３において、情報端末の表示部６全体、もしくはサーバーからの情報を表示する表示部内の所定の場所７に、“施設予約受け付けました”“５／３０会議室予約”などと表示を行う。
【００８７】
このように、情報提供会社からの情報を、情報端末の所定の位置に直接表示させることで、利用者は情報端末を直接操作することなく、情報端末を見るだけで、情報提供会社からの情報や登録した個人情報を閲覧することができる。
【００８８】
また、情報端末とサーバーがネットワーク網で接続された環境では、情報端末に情報入力手段を設けることで、利用者が情報端末で入力した個人データをサーバーに送信し、サーバーでは前記個人データを保持することができる。また、サーバーが、保持しているデータを所定の時間になると利用者に送信することで、スケジュール管理などのサービスを利用者に提供することができる。
【００８９】
（実施例４）
次に実施例４について、図１から図６を用いて説明する。
【００９０】
実施例４は、第１、第２、第３の実施例に加えて、情報端末１の表示部６において、サーバーからの情報を表示する表示場所７に表示する情報が無い場合、情報提供会社などから提供されるバナー広告を表示させるものであり、その他の構成、動作、効果は実施例１から実施例３と同じである。
【００９１】
情報提供会社から送信される情報や、サーバーに記憶している個人スケジュールなど、新しい情報が送信されると、情報端末１の表示部６において、サーバーからの情報を表示する表示場所７に、送信されてきた情報が表示される。しかし、常にサーバーから情報端末に新しい情報が送信されているとは限らない。
【００９２】
本実施例は、サーバーと情報端末がＬＡＮやＡＤＳＬなどの常時接続が可能な通信回線で接続されている。
【００９３】
表示場所７に表示する情報がない場合は、バナー広告を表示させることで、情報端末の機能の有効活用と、利用者に様々なサービスを提供することができる。
【００９４】
バナー広告は、現在インターネットでも普及しているような機能と等しいものであり、情報提供会社に提供された広告を、表示場所７に発信する。また、提供された広告が複数ある場合は、一定時間ごとに広告の内容を切り換える。
【００９５】
バナー広告を表示しているとき、サーバーから“５／３０燃えるごみの日”といった情報が送信されると、バナー広告の配信を中断し、バナー広告を表示していた表示場所７にサーバーから送信されてきた情報を表示する。そして利用者が情報の内容を確認する、または表示される時間の設定期限が切れると、再びバナー広告を配信する。
【００９６】
また、バナー広告とサーバーからの新しい情報を常に交互に所定の時間ごとに切り換えて表示する手法でも、その効果は変わらない。
【００９７】
このように、通常はバナー広告を表示させておいて、サーバーから表示場所７に表示すべき内容が送信されてきたときに、バナー広告と入れ替えたり、常にバナー広告とサーバーからの新しい情報を所定の時間ごとに切り換えることによって、情報端末の機能を有効に活用することができる。
【００９８】
（実施例５）
次に実施例５について、図１から図７を用いて説明する。
【００９９】
実施例５は、第１から第４の実施例に加えて、情報端末にガスメーターから発信された情報を受信するリモコン部を備えるものであり、その他の構成、動作、効果は実施例１から実施例４と同じである。
【０１００】
図７は情報端末１が給湯器の制御を行うシステムの例である。１４は給湯器端末であり、給湯器端末は給湯器とつながれている。１５はガスメーターであり、ガスの流量を測定したり、地震などの災害時にガスの供給を遮断する機能を備えている。１６は無線送受信部であり、情報端末１に設けられている、ガスメーターからのガスの使用量などの情報を受信したり、情報端末１からガスメーターの遮断弁を開閉するための信号を送信するものであり、ガスメーターにも無線送受信部が備えられている。１７はガス給湯器である。１８はガス会社である。
【０１０１】
情報端末１はＬＡＮやＡＤＳＬや公衆回線などを介して情報提供会社３に設けられたサーバーと接続されており、情報提供会社から提供される情報を、情報端末１で閲覧することができる。
【０１０２】
さらに情報端末１は給湯器１７と接続されており、給湯器の制御や、給湯器と接続された風呂給湯や温水式浴室乾燥機の温度設定や湯量調整などの制御を行うことができる。
【０１０３】
また、情報端末１には、ガスメーターと無線によって信号を送受信する無線送受信部が備えられており、ガスメーターのガス使用量の情報などを受信したり、ガスメーターのガス遮断弁の開閉を行う際に使用する。
【０１０４】
情報端末１は、ＬＡＮやＡＤＳＬや公衆回線などを介して情報提供会社３に設けられたサーバーやガス会社１８と接続されているので、情報提供会社からの情報を受信し情報端末１で閲覧するだけでなく、ガスの使用量や、給湯器もしくは給湯器と接続されている給湯器端末毎の使用状況を、ガス会社や情報提供会社のサーバーに送信し、ガスの使用量データ等をサーバーに蓄積することができる。蓄積されたデータは、ガスの使用量やガス料金のお知らせなどのサービスとして、ガス会社または情報提供会社から、情報端末１の表示部に表示する形でフィードバックされる。
【０１０５】
情報提供会社からの情報を閲覧する機能を持つ情報端末１に給湯器を制御する機能を持たせることで、サーバーなどにガスの使用量データ等を蓄積させることができ、従来の給湯器リモコンよりも付加価値の高い給湯器制御リモコンを利用者に提供することができる。
【０１０６】
【発明の効果】
以上より本発明によれば、サーバーに記憶され情報提供会社により管理されている情報の内容が更新されたり、情報提供会社から新しい情報を利用者に提供するとき、その内容が情報端末の表示部に直接表示されるので、利用者は情報端末の表示部を見るだけで、情報提供会社から新しい情報が提供されていることが確認できる。
【図面の簡単な説明】
【図１】情報提供サービスシステムの構成図
【図２】情報端末の外観構成図
【図３】情報端末１のハードウェア構成図
【図４】サーバーの情報構成図
【図５】施設予約を行う画面の表示図
【図６】月を選択する画面の表示図
【図７】情報端末１が給湯器の制御を行うシステム構成図
【符号の説明】
１　情報端末
２　サーバー
３　情報提供会社
４　通信回線
５　情報提供元
６　表示部
７　情報表示部
８　アイコン
９　入力手段
１０　通信制御部
１１　記憶手段
１２　ＣＰＵ
１３　情報格納場所
１４　給湯機端末
１５　ガスメーター
１６　無線送受信部
１７　給湯機
１８　ガス会社
１９　情報提供元のサーバー
２０　住宅
【図１】
2004134954.tif 000003
【図２】
2004134954.tif 000004
【図３】
2004134954.tif 000005
【図４】
2004134954.tif 000006
【図５】
2004134954.tif 000007
【図６】
2004134954.tif 000008
【図７】
2004134954.tif 000009